(57)【要約】【課題】  本発明の目的は、消費電力を低減しつつ、複数回の一連の撮影における撮影時刻の時間情報をユーザがタイムリーに把握できるようにすることである。【解決手段】  ユーザに設定された撮影タイミングに関する時間情報に基づき複数回の撮影を行う一連の撮影が行われる時刻を取得する取得手段と、前記一連の撮影における撮影に伴う第１の期間において、前記取得手段の取得した前記第１の期間に行われる撮影の次の撮影が行われる時間情報を表示するための表示部をオンし、前記一連の撮影における前記第１の期間でない第２の期間においては前記表示部をオフするように制御する第１の制御手段とを有することを特徴とする。【選択図】  図３
2018180383.tif 000002
【特許請求の範囲】
【請求項１】
ユーザに設定された撮影タイミングに関する時間情報に基づき複数回の撮影を行う一連の撮影が行われる時刻を取得する取得手段と、
前記一連の撮影における撮影に伴う第１の期間において、前記取得手段の取得した前記第１の期間に行われる撮影の次の撮影が行われる時間情報を表示するための表示部をオンし、
前記一連の撮影における前記第１の期間でない第２の期間においては前記表示部をオフするように制御する第１の制御手段とを有することを特徴とする撮像制御装置。
【請求項２】
前記第１の期間は、撮影が終了した後の一定期間を含むことを特徴とする請求項１に記載の撮像制御装置。
【請求項３】
前記第１の制御手段は、前記第１の期間の後に動作を一旦停止することを特徴とすることを特徴とする請求項１または２に記載の撮像制御装置。
【請求項４】
前記第１の制御手段の動作が停止したことに応じて、前記表示部の表示がオフされることを特徴とする請求項３に記載の撮像制御装置。
【請求項５】
前記第１の制御手段は動作が停止した後、前記時間情報に基づき次の撮影を行うために起動することを特徴とする請求項１乃至４のいずれか１項に記載の撮像制御装置。
【請求項６】
前記第１の制御手段の動作が停止している間、前記時間情報に基づく計時を行う第２の制御手段を有することを特徴とする請求項１乃至５のいずれか１項に記載の撮像制御装置。
【請求項７】
前記一連の撮影のための第１の操作とは異なる第２の操作がされた場合に前記表示部をオンすることを特徴とする請求項１乃至６のいずれか１項に記載の撮像制御装置。
【請求項８】
前記第１の制御手段は、前記第２の操作がされたこと応じて起動することを特徴とする請求項７に記載の撮像制御装置。
【請求項９】
前記第１の制御手段の制御により消費される電力の方が前記第２の制御手段の制御により消費される電力よりも大きいことを特徴とする請求項６に記載の撮像制御装置。
【請求項１０】
ユーザに設定された撮影タイミングに関する時間情報に基づき複数回の撮影を行う一連の撮影が行われる時間の間隔を取得する取得手段と、
前記一連の撮影における撮影に伴う第１の期間において、前記取得手段の取得した前記第１の期間に行われる撮影の次の撮影が行われるまでの時間について、前記時間情報に基づいて取得された情報を表示するための表示部をオンし、
前記一連の撮影における前記第１の期間でない第２の期間においては前記表示部をオフするように制御する第１の制御手段とを有することを特徴とする撮像制御装置。
【請求項１１】
コンピュータを、請求項１乃至１０のいずれか１項に記載された撮像制御装置の各手段として機能させるためのプログラムを格納したコンピュータが読み取り可能な記憶媒体。
【発明の詳細な説明】
【技術分野】
【０００１】
本発明は、撮像制御装置に関し、特に複数回の撮影を行う一連の撮影において撮影時刻等の時間情報を表示する技術に関する。
【背景技術】
【０００２】
従来より、インターバル撮影をする際に省エネルギーで動作をするための方法がある。特許文献１には、撮影が終了すると、メインＣＰＵへの電力供給を停止してスリープさせ、次の撮影時刻になるとメインＣＰＵを起動させて撮影を行うようにすることが開示されている。また、インターバル撮影の途中でインターバル撮影に関する時間を表示する方法がある。特許文献２には、撮影と撮影の間には経過時間を更新せず、撮影が行われる度に撮影が開始してからの経過時間を更新することが開示されている。また、特許文献２の方法では、更新前後の経過時間を比較することでインターバル撮影の時間間隔をユーザが把握できることが記載されている。
【先行技術文献】
【特許文献】
【０００３】
【特許文献１】特開２００６−３３２７４６号公報
【特許文献２】特開２０１５−０４０９６５号公報
【発明の概要】
【発明が解決しようとする課題】
【０００４】
特許文献１においては撮影が終わるとメインＣＰＵがスリープ状態になるため、次回の撮影時刻になるまでユーザは次の撮影時刻がいつなのか分からない。一方で、特許文献２では撮影と撮影の間に常に撮影時刻を表示するのでメインＣＰＵの動作による消費電力が大きくなる可能性がある。
【０００５】
本発明は、上記の課題に鑑み、消費電力を低減しつつ、複数回の一連の撮影において次の撮影時刻の時間情報をユーザがタイムリーに把握できるようにする撮像制御装置の提供を目的とする。
【課題を解決するための手段】
【０００６】
上記目的を達成するために、本発明の撮像制御装置は、ユーザに設定された撮影タイミングに関する時間情報に基づき複数回の撮影を行う一連の撮影が行われる時刻を取得する取得手段と、前記一連の撮影における撮影に伴う第１の期間において、前記取得手段の取得した前記第１の期間に行われる撮影の次の撮影が行われる時間情報を表示するための表示部をオンし、前記一連の撮影における前記第１の期間でない第２の期間においては前記表示部をオフするように制御する第１の制御手段とを有することを特徴とする。
【発明の効果】
【０００７】
本発明によれば、消費電力を低減しつつ、複数回の一連の撮影における撮影時刻の時間情報をユーザがタイムリーに把握できるようにすることができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】第１実施形態におけるシステム制御部５０の行う撮影処理を示すフローチャート
【図４】第１実施形態におけるサブＣＰＵ７０の行う撮影処理を示すフローチャート
【図５】第１実施形態における表示部の表示例を示す図
【図６】第１実施形態における状態遷移図
【図７】第２実施形態における撮影処理を示すフローチャート
【発明を実施するための形態】
【０００９】
以下、図面を参照して本発明の好適な実施形態を説明する。
【００１０】
＜第１実施形態＞
図１（ａ）、（ｂ）は本発明の撮像制御装置の一例としてのデジタルカメラ１００の外観図、図２（ａ）〜（ｃ）は本発明の撮像制御装置の一例としてのデジタルカメラ１００の構成例を示すブロック図である。
【００１１】
図１（ａ）はデジタルカメラ１００の前面斜視図（正面斜視図）であり、図１（ｂ）はデジタルカメラ１００の背面斜視図である。本実施形態のデジタルカメラ１００は、一辺が１〜３ｃｍ程度（縦、横、高さの合計が１０ｃｍ程度）の小型の略立方体形状または直方体形状である。もちろんこのサイズに限定されるものではないが、このように小型形状であるため、ユーザが操作可能な実用的な大きさのボタンを配置できる数と場所には限界がある。デジタルカメラ１００の前面上部の中央より右側面寄り（デジタルカメラ１００を正面から見た場合の右側）にカメラ部１１２のレンズの被写体光の入射面（レンズ前面）が配置されている。デジタルカメラ１００の前面下部には表示部２８が配置されている。カメラ部１１２の撮像方向と表示部２８の表示方向は同じである。
【００１２】
デジタルカメラ１００の上面には撮影ボタン（ＲＥＣボタン）２０１と上面ボタン２０２が配置されている。撮影ボタン２０１と上面ボタン２０２はそれぞれ押しボタンである。デジタルカメラ１００をヘルメットに装着するなど、ユーザからデジタルカメラ１００の上面を視認できない状況でデジタルカメラ１００が使用されることも想定される。この場合に、ユーザが手探りで撮影ボタン２０１と上面ボタン２０２を触った場合にどちらのボタンか判別できるように、撮影ボタン２０１は上面ボタン２０２よりも大きく、また形状も異ならせている。すなわち、撮影ボタン２０１は円形、上面ボタン２０２は楕円形または長方形となっている。デジタルカメラ１００を正面から見た場合の右側面（背面から見た場合の左側の面。以下、右側面と称する）には側面ボタン２０３が配置される。側面ボタン２０３は押しボタンである。側面ボタン２０３は後述する通り上面ボタン２０２と対の関係の操作に利用されることが多い。そのため、上面ボタン２０２と側面ボタン２０３が対の関係であることが分かるように上面ボタン２０２と側面ボタン２０３は略同じ大きさ、略同じ形状となっている。また、上面ボタン２０２と側面ボタン２０３とが配置される面は異なるものの、隣同士に配置されており、上面ボタン２０２と側面ボタン２０３との間に別の操作部材は無い。上面ボタン２０２は上面のうち中央よりも右側面寄りに配置されており、側面ボタン２０３は右側面のうち中央よりも上面寄りに配置されている。撮影ボタン２０１は上面のうち中央よりも左側面寄り（右側面の反対面寄り）に配置されている。なお、撮影待機状態で撮影ボタン２０１が押下されると、システム制御部５０は、静止画撮影モードであれば静止画の撮影を行い、動画撮影モードであれば動画の撮影（記録）を開始する。また、インターバル撮影では、撮影待機状態の撮影ボタン２０１の押下（１回の撮影指示操作）でユーザに設定された時間間隔で、または時刻に複数回撮影を行うインターバル撮影が開始される。静止画の撮影では、カメラ部１１２でオートフォーカスを行い、撮像部２２（撮像素子）で静止画撮影用の露光（撮像）を行い、生成された画像データを画像処理部２４で処理して静止画ファイルを生成し、記録媒体２００に記録するまでの一連の処理が行われる。動画の撮影は、カメラ部１１２でオートフォーカスを行い、撮像素子での動画撮影用の露光（撮像）を行って、生成された画像データを画像処理部２４で処理し、動画ファイルとして記録媒体２００に記録するまでの一連の撮影処理が行われる。インターバル撮影においては、ユーザ任意の時間間隔または１日６回分の時刻を設定可能である。デジタルカメラ１００は上述のように小型でありさらに軽量化されたものであるので、狭い場所や、高い場所等の安定のしにくい場所にも設定可能である。また、例えば、農園や田園に半年などの長期間設置して植物の成長過程を観察する場合に、途中でユーザが電池交換をしなくてもカメラを設置したままにできる。よって、本実施形態のインターバル撮影は、例えば、１日４回程度撮影をしても半年間は電池がもつように消費電力を抑えるようにする。このように、消費電力を低減することで、ユーザが朝、昼、夜と１日３回撮影しても、半年以上電池がなくならず、ユーザは何日間に１回というような頻度で電池の交換や電池残量の確認を頻繁にしなくてもよい。また広い農園の中で複数台のカメラの電池を交換するために歩き回る必要もなくなる。そこで、デジタルカメラ１００では、メインＣＰＵ（メイン制御、システム制御部５０）とサブＣＰＵ（サブ制御部）を用いた制御を行うことで消費電力の低減をするようにしている。インターバル撮影においては、ユーザに設定された時間間隔が経過するまで、または次回の時刻になるまでのインターバル待機中には消費電力を抑えるためにメインＣＰＵ（後述するシステム制御部５０）はスリープ状態になり、サブＣＰＵでの制御を行う。スリープ状態になると表示や制御等の動作が停止される（一旦停止）。メインＣＰＵとサブＣＰＵの使い分けの詳細については後述する。
【００１３】
なお、デジタルカメラ１００の底面には三脚など設置器具に固定するためのネジ穴が配されている。デジタルカメラ１００の正面から見た左側面（背面から見た場合の右側の面。以下、左側面と称する）には、接続端子カバー２０５が配置されている。接続端子カバー２０５を開けると外部Ｉ／Ｆ１０９としての有線接続端子（例えばＨＤＭＩ（登録商標）接続端子）及び通信Ｉ／Ｆ１１０としての有線接続端子（例えばＵＳＢ接続端子）がある。なお通信Ｉ／Ｆ１１０は無線であってもよい。デジタルカメラ１００の右側面の側面ボタン２０３の下には、記憶媒体Ｉ／Ｆ１０７としてのメモリーカードスロットの蓋２０６が配置されている。蓋２０６を開けるとメモリーカードスロットがある。背面には、カバーユニット２０７を外すと追加電源ユニットやレコーダーユニット、通信ユニットなどを接続できる接続端子（電力供給端子や映像入出力端子を含む）が配されている。
【００１４】
なお、カバーユニット２０７の無い構成としても良い。デジタルカメラ１００の上面と、正面と、左側面とが成す頂点部分には、ＬＥＤ２０８（ＬＥＤランプ）が配置されている。ＬＥＤ２０８はデジタルカメラの各種状態を発光パターンによってユーザに通知する動作通知を行う。ＬＥＤ２０８はカメラ上側、正面側、左側（正面からみての左側）の３方向から視認可能である。つまり、表示部２８の表示方向以外からもＬＥＤの発光は認識可能である。また、ＬＥＤ２０８の発光が撮影される映像に写り込まないように、カメラ部１１２の入射面よりやや低い（背面寄り）に配置されている。なお、本実施例ではＬＥＤを用いているが他の発光素子であってもよいことは言うまでもない。
【００１５】
図２は、本実施形態によるデジタルカメラ１００の構成例を示すブロック図である。まず、システム制御部５０において制御可能な構成について説明をする。システム制御部５０は、１０ｍｓでのボタンが押下されたか否かの検出（検出可能）を行う。図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１６】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１７】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データを格納する。メモリ３２は、所定枚数の静止画像や所定時間の動画像および音声を格納するのに十分な記憶容量を備えている。
【００１８】
表示部２８には、システム制御部５０の制御に基づいて、ＧＵＩ（Ｇｒａｐｈｉｃａｌ  Ｕｓｅｒ  Ｉｎｔｅｒｆａｃｅ）を構成するＧＵＩ画面などを表示する。システム制御部５０は、プログラムに従い表示制御信号を生成し、表示部２８に表示するための映像信号を生成して表示部２８に出力するようにデジタルカメラ１００の各部を制御する。表示部２８は出力された映像信号に基づいて映像を表示する。表示部２８は画素ごとに発光素子のある有機ＥＬ等にすることで表示する情報量に応じて消費電力を低減させてもよい。
【００１９】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２０】
記録媒体Ｉ／Ｆ１０７は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。外部機器と接続可能な外部Ｉ／Ｆ１０９や、外部機器との通信が可能な通信Ｉ／Ｆ１１０も有する。
【００２１】
システム制御部５０は、少なくとも１つのプロセッサーを内蔵し、デジタルカメラ１００の各構成を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２２】
システム制御部５０は、撮影ボタン２０１により、撮像部２２による静止画撮像動作、撮像部２２からの信号読み出しから記録媒体２００に画像データを書き込むまでの一連の撮影処理の動作を開始する。また、インターバル撮影モードでは、ユーザに設定された時間間隔ごと、もしくは時刻に撮影を行うようにする。システム制御部５０は、上面ボタン２０２の押下も検知可能である。
【００２３】
システム制御部５０は、ＬＥＤ２０８の発光を制御することができ、さらに電源制御部８０から電池残量についての情報を取得することができる。電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２４】
電源部３０は、アルカリ電池やリチウム電池等の一次電池やＮｉＣｄ電池やＮｉＭＨ電池、Ｌｉ電池等の二次電池、ＡＣアダプター等からなる。電源部３０はシステム制御部５０及びサブＣＰＵ７０に電力を供給する。
【００２５】
次に、サブＣＰＵ７０において制御可能な構成について説明する。サブＣＰＵ７０は、２０ｍｓでボタンの検出を行う。サブＣＰＵ７０は、少なくとも１つのプロセッサーを内蔵し、デジタルカメラ１００の各構成を制御する。不揮発性メモリ７１に記録されたプログラムを実行することで、後述する本実施形態の各処理を実現する。システムメモリ７２には、ＲＡＭが用いられる。システムメモリ７２には、サブＣＰＵ７０の動作用の定数、変数、不揮発性メモリ７１から読み出したプログラム等を展開する。システムタイマー５３は各種制御に用いる時間や、内蔵された時計の時間を計測する計時部であり、インターバル撮影モードでは、次回の撮影までの時間を継続することができる。側面ボタン２０３は、デジタルカメラ１００のＯＮとＯＦＦを切り替えるためのボタン（電源操作部）である。
【００２６】
ＬＥＤ２０８の制御はサブＣＰＵ７０でもメインＣＰＵ（システム制御部５０）でも行うことができるが、インターバル撮影の待機中でシステム制御部５０がスリープ状態の場合にはサブＣＰＵ７０が制御を行うようにする。また、撮影ボタン２０１が押下されたことの検出も、インターバル撮影の待機中にはサブＣＰＵ７０が行い、そうでない場合には、システム制御部５０が検出を行う。また、インターバル撮影の待機中か否かに関わらず、側面ボタン２０３の押下の検出はサブＣＰＵ７０が行い、電源のＯＦＦからＯＮになる場合には、システム制御部５０を起動する処理を行う。
【００２７】
図２（ｂ）、（ｃ）は、本実施形態のインターバル撮影の撮影中と待機中の場合に起動しているデジタルカメラ１００内の構成を示すための図である。図２（ｂ）はインターバル撮影モードにおいて撮影を行うためにシステム制御部５０とサブＣＰＵ７０とが起動している場合を示している。図２（ｂ）ではメインＣＰＵ（システム制御部５０）により撮像部２２と表示部２８とを制御することで撮影と表示処理とを行っている状態である。図２（ｃ）はインターバル撮影モードにおいて撮影と撮影の間の待機中の場合を示しており、メインＣＰＵがスリープ状態であるので、撮影や表示処理は行われないが、サブＣＰＵ７０が起動しており、システムタイマー５３やＬＥＤの発光の制御は行われている。インターバル撮影中の待機中にはサブＣＰＵ７０が次の撮影までの時間を計測し、インターバル撮影を行うようにメインＣＰＵを起動する。
【００２８】
なお、本実施形態では、通常は上面ボタン２０２はメニューボタン、側面ボタン２０３は電源ボタン（長押し時で電源ボタン、短押し時で撮影モード切替ボタン）、メニュー画面においては上面ボタン２０２は上キー、側面ボタン２０３は下キーとして説明をする。ただし、各ボタンに割り当てる機能はこれに限らず、ボタンの位置も上述のものに限らない。
【００２９】
図３を用いて本実施形態におけるシステム制御部５０による撮影処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影が可能になると開始する。
【００３０】
Ｓ３０１では、システム制御部５０は、インターバル撮影が設定されたか否かを判定する。インターバル撮影は上面ボタン２０２が押下され、メニュー画面において撮影モードとして静止画撮影や動画撮影を含む複数の撮影モードからインターバル撮影が選択されると設定される。図５（ａ）はメニュー画面５１０を示しており、アイテム５１１は設定、アイテム５１２は静止画撮影モード、アイテム５１３は動画撮影モード、アイテム５１４はインターバル撮影モードを示している。メニュー画面５１０においては、側面ボタン２０３は右キーとして機能し、上面ボタン２０２は左キーとして機能し選択アイテムを切り替えることができ、さらに、撮影ボタン２０１で決定をすることができる。このように、各アイテムを選択することで、設定または撮影モードの選択を行うことができる。インターバル撮影が設定されたと判定した場合は、Ｓ３０２へ進み、そうでない場合は、Ｓ３２４へ進む。なお、撮影モードの切り替えは、側面ボタン２０３の短押し（所定時間以内の押下）により、静止画撮影モード、動画撮影モード、インターバル撮影モードとが順番に切り替わってもよい。
【００３１】
Ｓ３０２では、システム制御部５０は、時刻設定がされたか否かを判定する。インターバル撮影では、ユーザの設定した時刻に撮影を行う時刻設定と、ユーザの設定した時間間隔ごとに撮影を行う時間間隔設定とがあり、いずれか（撮影タイミングとして）を選択する。時刻設定が選択されたと判定した場合は、Ｓ３０３へ進み、そうでない場合（時間間隔設定）は、Ｓ３０４へ進む。図５（ｂ）は、インターバル撮影の設定画面５１５を示しており、時刻設定を示すアイテム５１６または時間間隔設定を示すアイテム５１７のいずれかを選択することができる。メニュー画面５１０においては、側面ボタン２０３は下キーとして機能し、上面ボタン２０２は上キーとして機能し選択アイテムを切り替えることができ、さらに、撮影ボタン２０１で決定をすることができる。
【００３２】
Ｓ３０３では、システム制御部５０は、時刻設定を行う。時刻設定は６つまで設定することができる。図５（ｃ）〜（ｅ）はインターバル撮影に関する表示部２８の表示例を示したものであり、図５（ｃ）の画面５０１は時刻設定の場合の表示部２８の表示例を示している。画面５０１で時間の設定をする場合には、側面ボタン２０３は下キーとして機能し、上面ボタン２０２は上キーとして機能し、選択中の時分の値を変更することができる。
【００３３】
Ｓ３０４では、システム制御部５０は、時間間隔設定を行う。時間間隔設定は何時間、何分間隔というように細かく設定することができる。図５（ｄ）の画面５０２は時間間隔設定の場合の表示部２８の表示例を示している。時刻設定の場合と同様に側面ボタン２０３と上面ボタン２０２とを用いて、選択した時分の値を変更することができる。なお、時または分の選択は側面ボタン２０３（右キー）と上面ボタン２０２（左キー）とを用いて行うことができ、時分いずれかの選択の決定または設定した時分の値の決定は撮影ボタン２０１（決定ボタンとして機能）を用いて行うことができる。なお、システム制御部５０が起動しており、通信Ｉ／Ｆ１１０による外部機器との通信が可能であれば、Ｓ３０１〜Ｓ３０４で説明したインターバル撮影に関する設定はスマートフォンやリモコン等の外部装置によるリモート操作によっても行うことができる。
【００３４】
Ｓ３０５では、システム制御部５０は、設定された時間間隔または、設定された時刻設定を不揮発性メモリ５６（またはシステムメモリ５２）に記録する。
【００３５】
Ｓ３０６では、システム制御部５０は、インターバル撮影が開始されたか否か、すなわち、撮影ボタン２０１が押下されたか否かを判定する。インターバル撮影が開始されたと判定した場合には、Ｓ３０７へ進み、そうでない場合は、Ｓ３２４へ進む。
【００３６】
Ｓ３０７では、システム制御部５０は、サブＣＰＵ７０にタイマーをセットする。このとき、サブＣＰＵ７０にインターバル撮影モードであることを記憶させる。時刻設定の場合には、現在の時刻から次回の撮影直前の時刻までの時間間隔を算出し、算出した時間間隔をサブＣＰＵ７０にセットし、次回の撮影の直前にサブＣＰＵ７０からインターバル撮影のためにシステム制御部５０を起動する。時間間隔設定の場合の１回目の撮影の場合には、Ｓ３１５〜Ｓ３２０の処理を行ってから、すなわち一回目の撮影及び表示処理を行ってからＳ３０７の処理を行う。なお、時刻設定の場合に現在の時刻がすでに、ユーザに設定された時刻になっている場合には、Ｓ３１４へ進み、撮影を行ってからＳ３０７の処理を行う。このとき、ユーザに設定された時刻の３秒や２秒などの所定時間（スリープ状態から起動するのにかかる時間）より前であれば、システム制御部５０がスリープ状態に移行せずに起動したまま１回目の撮影をするようにする。ただし、システム制御部５０のスリープと起動時の処理、サブＣＰＵ７０の時間計時とシステム制御部５０の起動処理に要する消費電力を鑑みて、システム制御部５０を起動したままの方が、消費電力が小さい場合には３秒でなくても起動したままにする。例えば、次回の時刻まで１０秒以内である場合には、Ｓ３１４に進んでよい。また、撮影時刻により正確に撮影が行えるようにするために、システム制御部５０の起動に要する時間や撮影の準備に要する時間を考慮して、撮影時刻の少し前にシステム制御部５０が起動し始めるようにタイマーをセットする。
【００３７】
Ｓ３０８では、システム制御部５０は、システム制御部５０の電源をＯＦＦ（実際には一部回路への給電は維持されている。）、すなわちスリープ状態にする。システム制御部５０がスリープ状態になると、システム制御部５０により制御が行われるカメラ部１１２の駆動、表示部２８の表示、外部機器との通信等は行えなくなる。また、撮影ボタン２０１への操作の検知をする制御部、ＬＥＤ２０８の発光を制御する制御部は、システム制御部５０からサブＣＰＵ７０へと切り替わる。システム制御部５０は、１０ｍｓでボタンの検知をするが、サブＣＰＵ７０は節電のため２０ｍｓでボタンの検知をする。
【００３８】
Ｓ３０９では、システム制御部５０は、タイマー情報に基づきサブＣＰＵ７０により起動されたらＳ３１０へ進み、そうでない場合は、起動されるまで待つ。
【００３９】
Ｓ３１０では、システム制御部５０は、起動処理を行う。起動処理では、不揮発性メモリ５６とシステムメモリ５２とに電圧をかけ書き込みや読み込みが可能な状態にしたり、表示部２８が表示できるようにする。また、撮像部２２やシャッター１０１などのカメラ部１１２の起動をして撮影ができる状態にする。Ｓ３１０においては起動したことをユーザに示すために、スピーカー（不図示）から起動音を１秒発音するようにしてもよい。
【００４０】
Ｓ３１１では、システム制御部５０は、Ｓ３０９において起動されたのがサブＣＰＵ７０によるインターバル撮影起動か否かを判定する。インターバル撮影起動である場合には、Ｓ３１２へ進み、そうでない場合は、Ｓ３２１へ進む。システム制御部５０がスリープ状態から起動する要因は、インターバル撮影での起動と、通常の起動とがある。通常の起動とはいわゆるデジタルカメラ１００の電源をＯＦＦした状態からの側面ボタン２０３押下による起動であり、起動と同時に初期化処理を行う。一方でインターバル撮影の起動では、インターバル撮影の待機中にサブＣＰＵ７０が撮影の直前にシステム制御部５０を起動することで撮影を行うようにするもので、初期化処理はせず、前回のインターバル撮影の続きを行う。また、撮影が終了するとシステム制御部５０は、自動的にスリープ状態となる。
【００４１】
Ｓ３１２では、システム制御部５０は、インターバル撮影の準備を行う。インターバル撮影の準備では、撮影に関するホワイトバランスや、露出に関する設定の設定値の読み出しや、焦点調整処理等を行う。
【００４２】
Ｓ３１３では、システム制御部５０は、不揮発性メモリ５６（またはシステムメモリ５２）に記録された情報より、現在のインターバル撮影の設定が時刻設定か否かを判定する。時刻設定であると判定した場合は、Ｓ３１４へ進み、そうでない場合（時間間隔設定である）は、Ｓ３１５へ進む。
【００４３】
Ｓ３１４では、システム制御部５０は、不揮発性メモリ５６の撮影時刻のリストから現在の時刻の次の時刻を取得（時間取得）する。例えば、撮影時刻として、１：００、５：００、９：００、１３：００、１７：００が設定されており、現在の時刻が１：００であった場合にはリストから５：００を取得する。
【００４４】
Ｓ３１５では、システム制御部５０は、不揮発性メモリ５６（またはシステムメモリ５２）から撮影間隔を取得する（時間取得）。
【００４５】
Ｓ３１６では、システム制御部５０は、電源制御部８０から電池残量、表示部２８に表示するための情報（露出補正値、記録サイズ、アスペクト比等）を不揮発性メモリ５６から取得する。さらに、電源制御部８０から取得した電池残量より、撮影可能な残り枚数を算出する。
【００４６】
Ｓ３１７では、システム制御部５０は、Ｓ３１４〜Ｓ３１６において取得した、次回の撮影時刻または撮影間隔と、情報の表示処理を行う（Ｓ３２０までの所定期間、表示部２８をオンにする）。図５（ｅ）には、時間指定の場合のガイド表示画面５０３を示しており、次回の撮影時刻を示すアイテム５０４、電池残量を示すアイテム５０５、撮影可能枚数を示すアイテム５０６を表示する。さらに、露出補正値を示すアイテム５０７、記録サイズを示すアイテム５０８、アスペクト比を示すアイテム５０９を表示する。図５（ｆ）には、間隔指定の場合のガイド表示画面５１８を示しており、撮影間隔を示すアイテム５１９を表示する。
【００４７】
Ｓ３１８では、システム制御部５０は、撮影を行う。撮像部２２により撮像された画像を記録媒体２００にインターバル撮影の画像として記録する。また、シャッター音を発音し、撮影が行われていることをユーザに通知する。
【００４８】
Ｓ３１９では、システム制御部５０は、撮影が終了したか否かを判定する。撮影が終了したと判定した場合は、Ｓ３２０へ進み、そうでない場合は、Ｓ３１９へ進み、表示処理と撮影とを続ける。
【００４９】
Ｓ３２０では、システム制御部５０は、表示部２８の表示を非表示（表示部２８をオフにする）にして、Ｓ３０７へ戻り、システム制御部５０がスリープ状態になるようにする。または、撮影終了から所定時間（例えば１０秒などの一定期間）後に非表示にしてもよい。また、起動が終了しスリープ状態に戻ることを示すために終了音を発音する。なお、これらの発音（や発光）を消すモードを選択することもできる。使用状況によっては発音や発光が望ましくないこともあるからである。
【００５０】
Ｓ３２１では、システム制御部５０は、初期化処理を行う。Ｓ３２１は、Ｓ３１１において起動がインターバル撮影起動ではなく、通常の起動であると判定された場合の処理である。初期化処理では、Ｓ３１０の起動処理における処理の他に、現在の撮影状態を初期化するので、インターバル撮影中であるという記録も削除され、インターバル撮影は停止される。よって、Ｓ３２１の初期化処理の後、再びインターバル撮影を開始しなければ、撮影時刻または、前回のインターバルの撮影から設定されている時間間隔が経過しても撮影は行われない。
【００５１】
Ｓ３２２では、システム制御部５０は、Ｓ３１６と同様の処理を行う。
【００５２】
Ｓ３２３では、システム制御部５０は、Ｓ３２２で取得した情報を表示部２８に表示する処理を行う。ただし、インターバル撮影に関する情報は表示されない。
【００５３】
Ｓ３２４では、システム制御部５０は、その他の処理をする指示されたか否かを判定する。その他の指示とは静止画や動画の撮影やデジタルカメラ１００の設定等である。その他の処理をする指示がされたと判定した場合は、Ｓ３２５へ進み、そうでない場合は、Ｓ３２６へ進む。
【００５４】
Ｓ３２５では、システム制御部５０は、Ｓ３２４で指示された処理を行う。
【００５５】
Ｓ３２６では、システム制御部５０は、サブＣＰＵ７０より電源をＯＦＦする指示がされたか否かを判定する。サブＣＰＵ７０が電源ボタン２０３の押下を検出し、その結果電源のＯＦＦをする指示がされたと判定された場合には、図３の処理を終了し、そうでない場合にはＳ３０１へ戻る。
【００５６】
以上、説明した実施形態によれば、デジタルカメラ１００の消費電力を低減しつつも、ユーザにインターバル撮影が次回いつ行われるのか、またインターバル撮影が設定した通りに行われていることを認識させることができる。時刻設定の場合には、必ずしも一定間隔ごとに撮影が行われるわけではないので、必ずしも前回と同じ撮影間隔ごとで次回の撮影が行われるわけではなく、ユーザは１回１回の撮影時刻を知る必要がある。また、表示領域を大きくして設定されている撮影時刻の全てを表示してしまうとその分消費電力も大きくなってしまうので、撮影可能枚数が減ってしまう（長期間のインターバル撮影ができなくなってしまう）。そこで、撮影のための起動時に、次回の撮影時刻を表示することで、ユーザにインターバル撮影が設定した通りに行われていることを認識させることができる。また、インターバル撮影の待機中の期間には、表示部２８の表示は行わずに、撮影をするためにシステム制御部５０が起動したときに表示をするので、システム制御部５０の起動回数や起動時間をより少なくすることができる。インターバル撮影を継続して行う場合に、システム制御部５０の起動回数や起動時間を少なくすることで、撮影可能枚数を低減させないようにする。
【００５７】
次に、図４を用いて、本実施形態におけるサブＣＰＵ７０による撮影処理について説明する。この処理は、不揮発性メモリ７１に記録されたプログラムをシステムメモリ７２に展開してサブＣＰＵ７０が実行することで実現する。なお、この処理は、電源部３０から電源制御部８０を介してサブＣＰＵ７０に電力供給が開始され、サブＣＰＵ７０の制御が可能になると開始する。
【００５８】
Ｓ４０１では、サブＣＰＵ７０は、システム制御部５０よりインターバル撮影のタイマーがセットされたか否かを判定する。タイマーがセットされたと判定した場合は、Ｓ４０２へ進み、そうでない場合は、Ｓ４１４へ進む。
【００５９】
Ｓ４０２では、サブＣＰＵ７０は、現在の撮影モードがインターバル撮影モードであり、撮影の期間中であることをシステムメモリ７２に記録する。サブＣＰＵ７０はインターバル撮影モードにおいて、タイマーの計測を行った場合には、設定された時間経過の後システム制御部５０を起動する。そして、システム制御部５０は、起動された後インターバル撮影を行う。
【００６０】
Ｓ４０３では、サブＣＰＵ７０はＳ４０１においてセットされた時間の計時を開始する。なお、システム制御部５０は、時刻設定でも、時間間隔設定でも次回の撮影までの時間の長さをタイマーとして設定をするので、サブＣＰＵ７０では、時刻設定か時間間隔設定かに関わらず、設定された時間が経過したことに応じてシステム制御部５０を起動する。時間の計時は、システムタイマー５３により行う。
【００６１】
Ｓ４０４では、サブＣＰＵ７０は、インターバル撮影の待機中に撮影ボタン２０１が押下されたか否かを判定する。撮影ボタン２０１が押下されたと判定した場合は、Ｓ４０５へ進み、そうでない場合は、Ｓ４０８へ進む。
【００６２】
Ｓ４０５では、サブＣＰＵ７０は、ＬＥＤ２０８を発光する。このとき、システム制御部５０は、起動していないので、表示部２８の表示は行わないが、インターバル撮影の待機中であることのガイダンスや発音をしてもよい。また、システム制御部５０を起動してしまうと、その分消費電力が多くなり、撮影可能枚数が減ってしまうので、起動しないようにする。表示部２８の表示はされないが、ＬＥＤ２０８の発光によりユーザはインターバル撮影期間であることを認識することができる。１日に４回撮影して、半年間電池を交換せずにインターバル撮影を継続できるとすると、インターバル撮影が行われていることを示すために表示部２８の表示をすると撮影可能な期間が短くなってしまう。これはシステム制御部５０の起動、表示部２８への表示に係る消費電力が多いためである。そのため、システム制御部５０を起動した回数分、撮影可能枚数も減ってしまう。例えば、１日に１回ユーザがインターバル撮影期間でない待機中にシステム制御部５０を起動することで、約５か月弱しか撮影ができなくなってしまう。なお、インターバル撮影の待機中において撮影ボタン２０１が押下されても、インターバル撮影は停止しない（システム制御部５０が起動しない限り停止されない）。
【００６３】
Ｓ４０６では、サブＣＰＵ７０は、撮影ボタン２０１の押下が解除されたか否かを判定する。撮影ボタン２０１の押下が解除されたと判定した場合は、Ｓ４０７へ進み、そうでない場合は、Ｓ４０５へ戻る。つまり、撮影ボタン２０１の押下をしている間、ＬＥＤ２０８を発光し、押下していない間は発光しないようにする。撮影ボタン２０１を押下した後、例えば３０秒や２分間といった期間ＬＥＤ２０８を発光してしまうと、消費電力が多くなるので、確実にユーザがデジタルカメラ１００の近くにいると考えられる撮影ボタン２０１の押下中にだけＬＥＤ２０８を発光するようにする。
【００６４】
Ｓ４０７では、サブＣＰＵ７０は、ＬＥＤ２０８の発光を停止する。
【００６５】
Ｓ４０８では、サブＣＰＵ７０は、電源ボタンが押下されたか否かを判定する。電源ボタンは、側面ボタン２０３である。側面ボタン２０３の押下（電源ボタン）がされたと判定した場合は、Ｓ４０９へ進み、そうでない場合は、Ｓ４１０へ進む。
【００６６】
Ｓ４０９では、サブＣＰＵ７０は、システム制御部５０を起動する。Ｓ４０９においては、通常の起動、すなわち、インターバル撮影のための起動ではなく、システム制御部５０もサブＣＰＵ７０もスリープ状態（電源がＯＦＦ）から起動する場合と同じ起動となる。
【００６７】
Ｓ４１０では、サブＣＰＵ７０は、Ｓ４０１においてセットされた時間が経過したか否かを判定する。セットされた時間が経過したと判定した場合は、Ｓ４１１へ進み、そうでない場合は、Ｓ４０４へ進む。
【００６８】
Ｓ４１１では、サブＣＰＵ７０は、Ｓ４０９と同様に、システム制御部５０を起動する。
【００６９】
Ｓ４１２では、サブＣＰＵ７０は、インターバル撮影モードの処理を行うようにシステム制御部５０に指示する。つまり、サブＣＰＵ７０はシステム制御部５０にＳ４０１でタイマーがセットされ、さらにＳ４０２においてインターバル撮影モードであることを記録すると、セットされた時刻が経過したことに応じてインターバル撮影モードとしてシステム制御部５０を起動する。これにより、システム制御部５０は、インターバル撮影の待機中に起動していなくても、撮影の直前に消費電力のより小さいサブＣＰＵ７０に起動されて、インターバル撮影の続きを行うことができる。
【００７０】
Ｓ４１３では、サブＣＰＵ７０は、タイマーの計時を停止し、さらにＳ４０２において記憶した撮影モード情報を削除する。
【００７１】
Ｓ４１４より前の処理は、インターバル撮影の待機中における処理を示していたが、Ｓ４１４以降の処理はインターバル撮影の待機中ではなく、システム制御部５０も起動している場合の処理である。
【００７２】
Ｓ４１４では、サブＣＰＵ７０は、側面ボタン２０３が操作され、電源のＯＦＦ指示がされたか否かを判定する。電源のＯＦＦ指示がされたと判定した場合は、Ｓ４１５へ進み、そうでない場合は、Ｓ４０１に戻る。
【００７３】
Ｓ４１５では、サブＣＰＵ７０は、システム制御部５０に電源をＯＦＦするように指示をする。
【００７４】
Ｓ４１６では、サブＣＰＵ７０は、サブＣＰＵ７０の電源をＯＦＦし、図４の処理を終了する。Ｓ４１５とＳ４１６の処理により、デジタルカメラ１００は完全に電源がＯＦＦし、側面ボタン２０３が押下されるまでシステム制御部５０が動作を停止し、サブＣＰＵ７０はボタン検出をする。なお、システム制御部５０の電源がＯＦＦした状態で撮影ボタン２０１の押下をしてもＬＥＤ２０８は発光しない。
【００７５】
以上、説明した実施形態によれば、インターバル撮影において消費電力を低減しつつ、ユーザにインターバル撮影の期間であることを認識させることができる。また、インターバル撮影を行っていることを表示部２８の表示により示そうとすると、サブＣＰＵ７０によるシステム制御部５０の起動処理、システム制御部５０による起動処理、初期化処理、表示情報の取得、表示処理とが必要になるため時間を要する。一方、ＬＥＤ２０８を発光する場合には、撮影ボタン２０１の押下に応じてＬＥＤ２０８を発光するだけで良いので、素早くユーザに通知を行うことができる。例えば、広い畑などで並んで設定されているデジタルカメラ１００の電池残量がまだあるか否かを確認するような場合に、１台１台システム制御部５０を起動し、さらに表示をするまで待っていると確認に時間がかかってしまう。しかし、ＬＥＤ２０８がすぐに発光すれば複数台を確認する場合にも素早く確認をすることができる。同様に、インターバル撮影を中止する場合にも、側面ボタン２０３の押下をしていけば、複数台デジタルカメラ１００があるような場合にも、素早く終了処理をすることができる。
【００７６】
なお、静止画撮影モードや動画撮影モードの場合に、撮影ボタン２０１を押下すると撮影が行われ（動画撮影中の場合には停止し）、ＬＥＤ２０８が発光することはない。また、インターバル撮影の撮影のためにシステム制御部５０が起動している場合に、撮影ボタン２０１を押下しても特に対応する処理はなく、ＬＥＤ２０８も発光しない。ただし、記録媒体２００への画像ファイル保存時にも、記録媒体にアクセスしていることを示すため点滅する。
【００７７】
次に図６を用いて、上述の実施形態について説明をする。図６（ａ）はシステム制御部５０のインターバル撮影の処理、図６（ｂ）はサブＣＰＵ７０のインターバル撮影の処理である。
【００７８】
図６（ａ）について説明をする。Ｓ６０１のインターバル撮影の設定がされている状態において、撮影ボタン２０１が押下されると、Ｓ６０２に示すようにインターバル撮影を開始する。さらに、インターバル撮影においては、Ｓ６０３のようにサブＣＰＵ７０にタイマーをセットし、システム制御部５０は、スリープ状態になる（Ｓ６０４）。
【００７９】
スリープ状態の場合に、インターバル撮影をするようにシステム制御部５０が起動されると、Ｓ６０５に示すようにシステム制御部５０は起動して、インターバル撮影の準備をし、Ｓ６０６に示すように次回の撮影時刻と撮影に関する情報を表示する。さらにＳ６０７における撮影が終了すると、表示も終了し、Ｓ６０３のスリープ状態になる。
【００８０】
一方で、スリープ状態の場合に、システム制御部５０が通常の起動がされると、起動した後、インターバル撮影は停止され、再びインターバル撮影を行う指示がされない限り、次のインターバル撮影は行わない。
【００８１】
図６（ｂ）について説明をする。Ｓ６１０でサブＣＰＵ７０が待機中の場合に、電源ボタンが押下されるとデジタルカメラ１００の電源がＯＦＦされる（Ｓ６１１）。一方で、システム制御部５０によりタイマーがセットされるとＳ６１２に示すようにインターバル撮影の待機をする処理に移行し、システム制御部５０によりセットされた時間の計時を開始する（Ｓ６１３）。
【００８２】
計時を開始した後、撮影ボタン２０１が押下されている時間だけ、Ｓ６１４に示すようにＬＥＤ２０８が発光し、撮影ボタン２０１の押下が解除されるとＬＥＤ２０８の発光も停止する。
【００８３】
一方で、計時を開始した後、電源ボタン（側面ボタン２０３）が押下されると、システム制御部５０を通常起動し、インターバル撮影を終了する（Ｓ６１５）。
【００８４】
さらに、計時を開始した後、ユーザにセットされた時間が経過した場合には、Ｓ６１６に示すようにシステム制御部５０を起動し、インターバル撮影の続きを行う。
【００８５】
以上のように、システム制御部５０においてもサブＣＰＵ７０においても、消費電力を低減しつつ、インターバル撮影の撮影中であっても、待機中であっても、ユーザにインターバル撮影に関する通知をすることができる。
【００８６】
＜第２実施形態＞
第２実施形態は、図７を用いて説明をする。第２実施形態では、図１、２のデジタルカメラ１００に関する構成は第１実施形態と同じである。
【００８７】
図７の撮影処理は、システム制御部５０の撮影処理であり、図３と一部共通する処理がある。共通する処理については一部説明を省略する。
【００８８】
図７を用いて本実施形態におけるシステム制御部５０による撮影処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影が可能になると開始する。
【００８９】
第１実施形態においては、インターバル撮影のためのシステム制御部５０の起動時に表示をしてから撮影を行うことを説明した。第２実施形態では、撮影をしてから表示処理をする。
【００９０】
Ｓ７０１〜Ｓ７１２の処理は、図３のＳ３０１〜Ｓ３１２の処理と同様の処理である。
【００９１】
Ｓ７１３では、システム制御部５０は、撮影を行う。撮像部２２により撮像された画像を記録媒体２００にインターバル撮影の画像として記録する。
【００９２】
Ｓ７１４では、システム制御部５０は、撮影中であることを通知する。通知方法としては、シャッター音と同じような発音を撮影期間中ずっと発生するようにしてもよいし、音声で「撮影範囲内に入らないででください。」等のガイダンスを流してもよい。Ｓ７１４における通知は、第１実施形態において説明をしたシャッター音や起動音とは別に発生されるものである。第２実施形態においても第１実施形態と同様にシャッター音や起動音を発生してもよいし、撮影中の通知だけでもよい。
【００９３】
Ｓ７１５では、システム制御部５０は、撮影が終了したか否かを判定し、撮影が終了したと判定した場合は、Ｓ７１６へ進み、そうでない場合は、Ｓ７１３に戻る。
【００９４】
Ｓ７１６〜Ｓ７２０の処理は、図３のＳ３１３〜Ｓ３１７の処理と同様の処理であり、時刻設定の場合には次回の時刻を表示し、時間間隔設定の場合には時間間隔を表示する。すなわち、撮影の終了後に時間の表示を行う。
【００９５】
なお、Ｓ７２０において表示部２８に「ＯＫ？（ＲＥＣボタン）」のように、撮影ボタン２０１の押下が、ユーザが表示内容を確認したことを示す操作であることを示してもよい。
【００９６】
Ｓ７２１では、システム制御部５０は、ユーザがＳ７２０における表示を確認したか否かを判定する。ユーザが撮影ボタン２０１を押下した場合には、ユーザが表示内容を確認したものとして、Ｓ７２３に進み表示を終了する。
【００９７】
一方で、ユーザからの操作がない場合には、Ｓ７２２において、システム制御部５０は、例えば４秒や８秒といった所定時間が経過したか否かを判定する。所定時間が経過したと判定した場合は、Ｓ７２３に進み、表示を終了する。
【００９８】
Ｓ７２４〜７３２の処理は、インターバル待機中にサブＣＰＵ７０が側面ボタン２０３、すなわち電源ボタンが押下されたと判定をした場合の処理である。第１実施形態では、Ｓ３１１（Ｓ７１１）においてＮｏと判定された場合には、インターバル撮影を中止することを説明したが、第２実施形態ではユーザにインターバル撮影を途中で中止させるか否かを選択をさせる例を説明する。
【００９９】
Ｓ７２４〜Ｓ７２６の処理は、Ｓ７１６〜Ｓ７１８と同様の処理であり、時刻設定か、時間間隔設定かを判定し、次回の撮影時刻または撮影間隔を取得する処理である。
【０１００】
Ｓ７２７では、システム制御部５０は、Ｓ７２５またはＳ７２６において取得した次回の撮影時刻または撮影間隔と共に、インターバル撮影を継続するか、中止するかのガイダンスを表示する。例えば、「インターバル継続？（ＲＥＣボタン）、中止（電源ボタン）」のように撮影ボタン２０１の押下によりインターバル撮影を継続でき、側面ボタン２０３（電源ボタン）の押下によりインターバル撮影を中止できることをユーザに示す。なお、ガイダンスのみを表示したり、撮影時刻または撮影間隔のみを表示するようにしてもよい。
【０１０１】
Ｓ７２８では、システム制御部５０は、Ｓ７２７における表示を開始してから、４秒や６秒といった所定時間が経過したか否かを判定する。所定時間が経過した判定した場合は、Ｓ７０７へ進み、そうでない場合は、Ｓ７２９へ進む。
【０１０２】
Ｓ７２９では、システム制御部５０は、インターバル撮影を継続するとユーザが選択したか否かを判定する。例えば、撮影ボタン２０１によりインターバル撮影を継続する場合には、撮影ボタン２０１が押下されたらＳ７３０へ進み、そうでない場合は、Ｓ７３１へ進む。
【０１０３】
Ｓ７３０では、システム制御部５０は、Ｓ７２７における表示を終了し、Ｓ７０７へ進む。なお、Ｓ７０７においては、サブＣＰＵ７０にタイマーを設定しなおしてもよい。また、第２実施形態においては、後述するＳ７３２においてインターバル撮影が終了されるまで、サブＣＰＵ７０においてタイマーの計時をし続けるようにしてもよい。
【０１０４】
Ｓ７３１では、システム制御部５０は、インターバル撮影を中止するとユーザが選択したか否かを判定する。例えば、側面ボタン２０３によりインターバル撮影を中止する場合には、側面ボタン２０３が押下されたらＳ７３２へ進み、そうでない場合は、Ｓ７２８へ戻る。
【０１０５】
Ｓ７３２では、システム制御部５０は、インターバル撮影を中止する。なお、サブＣＰＵ７０へＳ７３２においてインターバル撮影のための計時を中止する指示をしてもよい。
【０１０６】
Ｓ７３３〜７３５の処理は、図３のＳ３２４〜３２６の処理と同様の処理である。
【０１０７】
以上、説明した実施形態によれば、デジタルカメラ１００の消費電力を低減しつつも、ユーザにインターバル撮影が次回いつ行われるのか、またインターバル撮影待機中であることを認識させることができる。また、撮影後に通知をするため、ユーザが撮影中であることに気付かない場合に、表示部２８の表示がされたためカメラ部１１２側に回って表示を覗きこみ、結果として撮影画像に映り込んでしまうということもない。
【０１０８】
また、説明した実施形態によれば、ユーザが操作方法について詳しく認識していない場合に、意図せずインターバル撮影が中止してしまう可能性が低減する。第１実施形態では、側面ボタン２０３の押下により素早くインターバル撮影を中止できることを説明した。一方で、ユーザが操作に慣れておらず、意図せず側面ボタン２０３を押下してしまった場合であっても、インターバル撮影を継続するか中止するかをユーザは選択できる。
【０１０９】
また、Ｓ７２０の表示は撮影後でなくても、撮影前に表示をして、撮影が開始されるまでにユーザに撮影が開始することを通知するためのアラームや、ガイダンスを表示し、撮影開始後に時刻等の表示を非表示にしてもよい。
【０１１０】
さらに、第１実施形態と同様に、撮影の直前から表示を開始するが、撮影後も５秒〜１０秒間表示を継続することで小さな表示部２８であっても、ユーザが表示をしっかりと確認できる時間を確保するようにしてもよい。
【０１１１】
表示部２８への表示によりインターバル撮影のタイミングについて通知する方法を説明したが、表示でなくても音声を発生させて通知をしてもよい。さらに、デジタルカメラ１００の表示部２８でなくても、予め登録されたユーザのスマートフォン等の端末と通信をしてユーザに次回の撮影時刻や撮影間隔等を通知するようにしてもよい。いずれの場合にも、システム制御部５０の撮影のための起動時にユーザに通知をする処理を行うので、スリープ時に同様の通知をするよりも消費電力が小さくて済む。
【０１１２】
なお、システム制御部５０、サブＣＰＵ７０が行うものとして説明した上述の各種の制御は１つのハードウェアが行ってもよいし、複数のハードウェアが処理を分担することで、装置全体の制御を行ってもよい。
【０１１３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１４】
上述の実施形態においては、本発明を撮像制御装置に適用した場合を例に説明したが、これはこの例に限定されず、撮影時刻や間隔等の時間情報を表示可能な撮像制御装置、またはＬＥＤや音声の発生による通知を制御可能な撮像制御装置であれば適用可能である。即ち、本発明はインターバル撮影の撮影時刻や間隔等の時間情報の表示や、ＬＥＤや音声の発生による通知を制御可能な撮像制御装置を制御可能なパーソナルコンピュータ（ＰＣ）や、携帯電話端末や携帯型の画像ビューワに適用可能である。さらに、デジタルフォトフレーム、音楽プレーヤー、ゲーム機、電子ブックリーダー、タブレットＰＣ、スマートフォン、家電装置等にも適用可能である。また、デジタルカメラ等のインターバル撮影を行う機器を有線または無線を介して通信し、リモートでデジタルカメラ（ネットワークカメラを含む）への指示が可能なスマートフォンやタブレットＰＣ、デスクトップＰＣなどの装置にも適用可能である。システム制御部５０とサブＣＰＵは同一の装置に組み込まれている必要はなく、それぞれ起動指示、スリープ指示、表示指示等が可能な別々の装置であってもよい。
【０１１５】
＜他の実施形態＞
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2018180383.tif 000003
【図２】
2018180383.tif 000004
【図３】
2018180383.tif 000005
【図４】
2018180383.tif 000006
【図５】
2018180383.tif 000007
【図６】
2018180383.tif 000008
【図７】
2018180383.tif 000009